【手続補正書】
【提出日】平成19年11月1日(2007.11.1)
【手続補正１】
【補正対象書類名】明細書
【補正対象項目名】０００５
【補正方法】変更
【補正の内容】
【０００５】
（１）請求項１に記載の画像再生装置は、画像データを蓄積する画像蓄積手段と、画像蓄積手段から画像データを読み出す画像読出手段と、スライドショー表示の開始指示を出力するスライドショー開始指示部材と、スライドショー開始指示部材によって出力される開始指示に応じて、画像読出手段によって読み出された画像データに基づく複数の画像を表示装置に順番に表示してスライドショー表示させるスライドショー表示制御手段とを備える。
（２）請求項２に記載の画像再生装置は、スライドショー表示制御手段によってスライドショー表示が行われている間に、スライドショー開始指示部材が操作されると、（ａ）スライドショー表示を再び最初から行う、（ｂ）スライドショー表示される複数の画像の画像データを含む画像蓄積手段内のアルバムの名前を表示する、および（ｃ）スライドショー表示の形態を変更する、のいずれか一つの処理を行うスライドショー表示処理手段をさらに備える。
（３）請求項３に記載の画像再生装置は、スライドショー表示制御手段によってスライドショー表示が行われている間に、スライドショー表示される複数の画像の画像データを含む画像蓄積手段内のアルバムを、別のアルバムに切り換える指示を出力する切替指示部材をさらに備える。
（４）請求項４に記載の画像再生装置は、画像データを蓄積する画像蓄積手段と、画像蓄積手段から画像データを読み出す画像読出手段と、画像読出手段によって読み出された画像データに基づいて、表示装置に画像を表示させる表示制御手段と、表示装置に表示される画像の画像データを含む画像蓄積手段内のアルバムを、別のアルバムに切り換える指示を出力する切替指示部材とを備える。
（５）請求項５に記載の画像再生装置において、表示制御手段は、切替指示部材から切替指示が出力されると、切り換わり後の新たなアルバム内に含まれる画像データを表示装置にサムネイル一覧表示する。
（６）請求項６に記載の画像再生システムは、表示装置と、スライドショー表示の開始指示を出力するスライドショー開始指示ボタンを備えたリモコンと、画像データを蓄積する画像蓄積手段と、画像蓄積手段から画像データを読み出す画像読出手段と、リモコンからボタン操作に応じた信号を受信する信号受信手段と、信号受信手段によって受信されるスライドショー開始指示ボタンからの開始指示に応じて、画像読出手段によって読み出された画像データに基づく複数の画像を表示装置に順番に表示してスライドショー表示させるスライドショー表示制御手段とを有する画像再生装置とを備える。
（７）請求項７に記載の画像再生システムにおいて、画像再生装置は、スライドショー表示制御手段によってスライドショー表示が行われている間に、信号受信手段によってスライドショー開始指示ボタンからの信号を受信すると、（ａ）スライドショー表示を再び最初から行う、（ｂ）スライドショー表示される複数の画像の画像データを含む画像蓄積手段内のアルバムの名前を表示する、および（ｃ）スライドショー表示の形態を変更する、のいずれか一つの処理を行うスライドショー表示処理手段をさらに備える。
（８）請求項８に記載の画像再生システムにおいて、リモコンは、スライドショー表示制御手段によってスライドショー表示が行われている間に、スライドショー表示される複数の画像の画像データを含む画像蓄積手段内のアルバムを、別のアルバムに切り換える指示を出力する切替指示ボタンをさらに備える。
（９）請求項９に記載の画像再生システムは、表示装置と、リモコンと、画像データを蓄積する画像蓄積手段と、画像蓄積手段から画像データを読み出す画像読出手段と、リモコンからボタン操作に応じた信号を受信する信号受信手段と、画像読出手段によって読み出された画像データに基づいて、表示装置に画像を表示させる表示制御手段とを有する画像再生装置とを備え、リモコンは、表示装置に表示される画像の画像データを含む画像蓄積手段内のアルバムを、別のアルバムに切り換える指示を出力する切替指示ボタンを備える。
（１０）請求項１０に記載の画像再生システムにおいて、画像再生装置の表示制御手段は、切替指示ボタンから切替指示が出力されると、切り換わり後の新たなアルバム内に含まれる画像データを表示装置にサムネイル一覧表示する。
（１１）請求項１１に記載の画像再生装置は、画像データを蓄積する画像蓄積手段と、画像蓄積手段から画像データを読み出す画像読出手段と、画像読出手段によって読み出された画像データに基づいて、複数の画像を表示装置に順番に表示してスライドショー表示させるスライドショー表示制御手段と、スライドショー表示が中断したときに表示装置に表示されていた画像データを記憶する画像記憶手段と、スライドショー表示が再開されるときに、スライドショー表示制御手段に、画像記憶手段に記憶された画像データからスライドショー表示を再開させるスライドショー表示再開手段とを備える。
（１２）請求項１２に記載の画像再生装置は、画像データを蓄積する画像蓄積手段と、画像蓄積手段から画像データを読み出す画像読出手段と、画像読出手段によって読み出された画像データに基づいて、複数の画像を表示装置に順番に表示してスライドショー表示させるスライドショー表示制御手段と、スライドショー表示が中断したときに表示装置に表示されていた画像データを含む画像蓄積手段内のアルバムを記憶するアルバム記憶手段と、スライドショー表示が再開されるときに、スライドショー表示制御手段に、アルバム記憶手段に記憶されたアルバムの先頭の画像データから前記スライドショー表示を再開させるスライドショー表示再開手段とを備える。
（１３）請求項１３に記載の画像再生システムは、請求項１１または請求項１２に記載の画像再生装置と、表示装置と、画像再生装置にスライドショー表示の開始指示を出力する開始指示ボタンを有するリモコンとを備える。
【手続補正２】
【補正対象書類名】明細書
【補正対象項目名】００２６
【補正方法】変更
【補正の内容】
【００２６】
ステップＳ１０５では、コピーした画像データを自動的にアルバムに仕分けして保存する。例えば、２００４年１月２０日に撮影された画像は「２００４年１月２０日」として分類されたアルバムに保存される。なお、画像データを保存するアルバムは、「年」「月」「日」の順にツリー形式で構成される。具体的には、図６に示すように「２００４年」アルバムの下層に「１月」アルバムを作成し、「１月」アルバムの下層に「２０日」アルバムを作成する。したがって、２００４年１月２０日に撮影された画像は、撮影年で分類された「２００４年」アルバム、および撮影年月で分類された「２００４年１月」アルバムにも所属する。
【手続補正３】
【補正対象書類名】明細書
【補正対象項目名】０１３１
【補正方法】変更
【補正の内容】
【０１３１】
リモコン３００の操作ボタン３０９の操作によりコピー先のアルバムを決定すると、ステップＳ３０６において図２２（ａ）に示すようなコピー対象画像についての問い合わせ画面が表示される。この問い合わせ画面では、「選択した一枚だけをコピーする」か、あるいは「同じ入力日の画像をすべてコピーする」かをユーザに問い合わせる。これらのメッセージの下には、ステップＳ３０２で選択された画像Ｉ１、および同じ入力日の画像Ｉ２，Ｉ３がサムネイル一覧表示される。なお、ユーザはリモコン３００を用いて画像の隣に表示された矢印キーＫ１を操作することにより、現在問い合わせ画面に表示されていない同入力日の画像を表示させることができる。
【手続補正４】
【補正対象書類名】明細書
【補正対象項目名】０２２４
【補正方法】変更
【補正の内容】
【０２２４】
また、リモコン３００Ａ〜Ｃに設けられたスクロールホイール３１０や、図４０に示すようにリモコン３００Ｄに設けられた矢印ボタン３２２をオンすることによって、アルバムを切り換えるように構成してもよい。この場合、スクロールホイール３１０や矢印ボタン３２２の操作回数に応じて、記憶部１０１ｂに保存されたアルバムが一つづつ切り替わる。アルバムが切り替わるたびに、切り替わったアルバム内に含まれる画像のサムネイル一覧表示を行う。スライドショー再生中にスクロールホイール３１０や矢印ボタン３２２が操作されると、切り替わった新たなアルバムの画像をサムネイル一覧表示した後、スライドショー表示を開始する。